【手続補正書】
【提出日】平成23年8月17日(2011.8.17)
【手続補正１】
【補正対象書類名】特許請求の範囲
【補正対象項目名】全文
【補正方法】変更
【補正の内容】
【特許請求の範囲】
【請求項１】
Ｎ個のチャネルを有するマルチチャネル電極アレイ内の少なくとも２つの電極を同時に活性化する方法であって、該方法は、
各電極からの電場の幾何学的重複を反映する空間チャネル相互作用のパラメータを考慮することによって、該マルチチャネルアレイ内の該電極のパルス振幅を計算することを含み、
計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に対して同一であり、該第２の指数関数的減衰定数βは、該アレイ内の各電極に対して同一であり、
ならびに、計算は、場所依存性インパルス応答を考慮するために、場所依存性荷重係数Ｃｎ（ｎ＝１，２，・・・，Ｎ）を適用することをさらに含む、
方法。
【請求項２】
計算は、三重対角行列の特性を使用することを含む、請求項１に記載の方法。
【請求項３】
前記第１の指数関数的減衰定数αは、前記第２の指数関数的減衰定数βと等しくない、請求項１に記載の方法。
【請求項４】
計算は、
前記電極アレイと相対的な所与の位置の所望の電位を決定することであって、該所望の電位は、少なくとも部分的に、連続的交互サンプリング法に基づいて決定される、ことと、
該所与の位置における符号相関パルスの各々から得られる電位を付加することによって、該電極と関連付けられた同時符号相関パルスの振幅を決定することであって、それにより、該所望の電位と実質的に等しい該所与の位置における総電位を提供する、ことと
を含む、請求項１に記載の方法。
【請求項５】
聴覚神経を刺激するように、符号相関パルスを使用して、前記少なくとも２つの電極を同時に活性化することをさらに備える、請求項１に記載の方法。
【請求項６】
前記マルチチャネル電極アレイは、遠隔接地を有する単極構成を使用する、請求項１に記載の方法。
【請求項７】
前記マルチチャネル電極アレイは、該アレイの起点の第１の電極と、該アレイの終点の第２の電極とを含み、前記計算方法は、該第１の電極および該第２の電極のうちの少なくとも１つに隣接する仮想電極を導入することを含む、請求項１に記載の方法。
【請求項８】
人工蝸牛システムであって、
少なくとも２つの電極を含むＮ個のチャネルを有するマルチチャネル電極アレイと、
各電極からの電場の幾何学的重複を反映する空間チャネル相互作用に応じて、該電極と関連付けられた電極刺激信号の振幅を計算する刺激装置であって、
計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に対して同一であり、該第２の指数関数的減衰定数βは、該アレイ内の各電極に対して同一であり、
ならびに、計算は、場所依存性インパルス応答を考慮するために、場所依存性荷重係数Ｃｎ（ｎ＝１，２，・・・，Ｎ）を適用することを含む、刺激装置と
を備える、システム。
【請求項９】
前記第１の指数関数的減衰定数αは、前記第２の指数関数的減衰定数βと等しくない、請求項８に記載の人工システム。
【請求項１０】
前記刺激装置は、三重対角行列の特性を使用して、前記電極信号の振幅を決定する、請求項８に記載の人工システム。
【請求項１１】
前記電極アレイは、遠隔接地を有する単極電極構成に配列される、請求項８に記載の人工システム。
【請求項１２】
前記刺激装置は、符号相関パルスを使用して、前記少なくとも２つの電極を同時に活性化する、請求項８に記載の人工システム。
【請求項１３】
音響音声信号を受信するフィルタバンクを含む音声プロセッサをさらに備え、該フィルタバンク内の各フィルタは、前記マルチチャネル電極アレイ内の電極のうちの１つと関連付けられ、該音声プロセッサは、関連付けられたチャネルフィルタから、該マルチチャネル電極アレイ内の各電極に対する荷重係数を導出する、請求項８に記載の人工システム。
【請求項１４】
前記マルチチャネル電極アレイは、該アレイの起点の第１の電極と、該アレイの終点の第２の電極とを含み、前記刺激装置は、前記振幅を計算する際、該第１の電極および該第２の電極のうちの少なくとも１つに隣接する仮想電極を導入する、請求項８に記載の人工システム。
【請求項１５】
Ｎ個のチャネルを有するマルチチャネル電極アレイ内の電極を刺激するコンピュータシステム上で使用するためのコンピュータプログラム製品であって、各チャネルは、該アレイ内の電極と関連付けられ、該コンピュータプログラム製品は、自身にコンピュータ可読プログラムコードを有するコンピュータ使用可能媒体を備え、該コンピュータ可読プログラムコードは、各電極からの電場の幾何学的重複を反映する空間チャネル相互作用に応じて、該電極アレイ内の電極と関連付けられた電極刺激信号の振幅を計算するプログラムコードを含み、計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に対して同一であり、該第２の指数関数的減衰定数βは、該アレイ内の各電極に対して同一であり、計算は、場所依存性インパルス応答を考慮するために、場所依存性荷重係数Ｃｎ（ｎ＝１，２，・・・，Ｎ）を適用することをさらに含む、コンピュータプログラム製品。
【請求項１６】
計算のための前記プログラムコードは、三重対角行列の特性を使用するプログラムコードを含む、請求項１５に記載のコンピュータプログラム製品。
【請求項１７】
前記第１の指数関数的減衰定数αは、前記第２の指数関数的減衰定数βと等しくない、請求項１５に記載のコンピュータプログラム製品。
【請求項１８】
計算のための前記プログラムコードは、
前記電極アレイと相対的な所与の位置の所望の電位を決定するプログラムコードであって、該所望の電位は、少なくとも部分的に、連続的交互サンプリング法に基づいて決定される、プログラムコードと、
該所与の位置における符号相関パルスの各々から得られる電位を付加することによって、前記マルチチャネルアレイのうちの少なくとも２つの電極と関連付けられた同時符号相関パルスの振幅を決定するプログラムコードであって、それにより、該所望の電位と実質的に等しい該所与の位置における総電位を提供する、プログラムコードと
を含む、請求項１５に記載のコンピュータプログラム製品。
【請求項１９】
符号相関パルスを使用して、前記少なくとも２つの電極を同時に刺激するプログラムコードをさらに備える、請求項１５に記載のコンピュータプログラム製品。
【請求項２０】
前記マルチチャネル電極アレイは、該アレイの起点の第１の電極と、該アレイの終点の第２の電極とを含み、計算のための前記プログラムコードは、該第１の電極および該第２の電極のうちの少なくとも１つに隣接する仮想電極を導入するプログラムコードを含む、請求項１５に記載のコンピュータプログラム製品。
【請求項２１】
荷重係数Ｃｎは、指数関数的に分布し、Ｃｎ＝γｎ（ｎ＝１，２，・・・，Ｎ）である、請求項１に記載の方法。
【請求項２２】
荷重係数Ｃｎは、指数関数的に分布し、Ｃｎ＝γｎ（ｎ＝１，２，・・・，Ｎ）である、請求項８に記載の人工システム。
【請求項２３】
荷重係数Ｃｎは、指数関数的に分布し、Ｃｎ＝γｎ（ｎ＝１，２，・・・，Ｎ）である、請求項１５に記載のコンピュータプログラム製品。
【手続補正２】
【補正対象書類名】明細書
【補正対象項目名】００１９
【補正方法】変更
【補正の内容】
【００１９】
本発明のさらなる関連実施形態では、計算のプログラムコードは、電極アレイと相対的な所与の位置の所望の電位を決定するプログラムコードを含んでもよく、所望の電位は、少なくとも部分的に、連続的交互サンプリング法に基づいて決定される。所与の位置における符号相関パルスの各々から得られる電位を付加することによって、電極と関連付けられた同時符号相関パルスの振幅を計算し、所望の電位と実質的に等しい所与の位置における総電位を提供する。
例えば、本発明は以下の項目を提供する。
（項目１）
マルチチャネル電極アレイ内の少なくとも２つの電極を同時に活性化する方法であって、該方法は、
各電極からの電場の幾何学的重複を反映する空間チャネル相互作用のパラメータを考慮することによって、該マルチチャネルアレイ内の該電極のパルス振幅を計算することを含み、
計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に相当し、該第２の指数関数的減衰定数βは、該アレイ内の各電極に相当し、
ならびに、計算は、場所依存性インパルス応答を考慮するために、場所依存性荷重係数を適用することをさらに含む、
方法。
（項目２）
計算は、三重対角行列の特性を使用することを含む、項目１に記載の方法。
（項目３）
上記第１の指数関数的減衰定数αは、上記第２の指数関数的減衰定数βと等しくない、項目１に記載の方法。
（項目４）
計算は、
上記電極アレイと相対的な所与の位置の所望の電位を決定することであって、該所望の電位は、少なくとも部分的に、連続的交互サンプリング法に基づいて決定される、ことと、
該所与の位置における符号相関パルスの各々から得られる電位を付加することによって、該電極と関連付けられた同時符号相関パルスの振幅を決定することであって、それにより、該所望の電位と実質的に等しい該所与の位置における総電位を提供する、ことと
を含む、項目１に記載の方法。
（項目５）
聴覚神経を刺激するように、符号相関パルスを使用して、上記少なくとも２つの電極を同時に活性化することをさらに備える、項目１に記載の方法。
（項目６）
上記マルチチャネル電極アレイは、遠隔接地を有する単極構成を使用する、項目１に記載の方法。
（項目７）
上記マルチチャネル電極アレイは、該アレイの起点の第１の電極と、該アレイの終点の第２の電極とを含み、上記計算方法は、該第１の電極および該第２の電極のうちの少なくとも１つに隣接する仮想電極を導入することを含む、項目１に記載の方法。
（項目８）
人工蝸牛システムであって、
少なくとも２つの電極を含むマルチチャネル電極アレイと、
各電極からの電場の幾何学的重複を反映する空間チャネル相互作用に応じて、該電極と関連付けられた電極刺激信号の振幅を計算する刺激装置であって、
計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に相当し、該第２の指数関数的減衰定数βは、該アレイ内の各電極に相当し、
ならびに、計算は、場所依存性インパルス応答を考慮するために、場所依存性荷重係数を適用することを含む、刺激装置と
を備える、システム。
（項目９）
上記第１の指数関数的減衰定数αは、上記第２の指数関数的減衰定数βと等しくない、項目８に記載の人工システム。
（項目１０）
上記刺激装置は、三重対角行列の特性を使用して、上記電極信号の振幅を決定する、項目８に記載の人工システム。
（項目１１）
上記電極アレイは、遠隔接地を有する単極電極構成に配列される、項目８に記載の人工システム。
（項目１２）
上記刺激装置は、符号相関パルスを使用して、上記少なくとも２つの電極を同時に活性化する、項目８に記載の人工システム。
（項目１３）
音響音声信号を受信するフィルタバンクを含む音声プロセッサをさらに備え、該フィルタバンク内の各フィルタは、上記マルチチャネル電極アレイ内の電極のうちの１つと関連付けられ、該音声プロセッサは、関連付けられたチャネルフィルタから、該マルチチャネル電極アレイ内の各電極に対する荷重係数を導出する、項目８に記載の人工システム。
（項目１４）
上記マルチチャネル電極アレイは、該アレイの起点の第１の電極と、該アレイの終点の第２の電極とを含み、上記刺激装置は、上記振幅を計算する際、該第１の電極および該第２の電極のうちの少なくとも１つに隣接する仮想電極を導入する、項目８に記載の人工システム。
（項目１５）
マルチチャネル電極アレイ内の電極を刺激するコンピュータシステム上で使用するためのコンピュータプログラム製品であって、各チャネルは、該アレイ内の電極と関連付けられ、該コンピュータプログラム製品は、自身にコンピュータ可読プログラムコードを有するコンピュータ使用可能媒体を備え、該コンピュータ可読プログラムコードは、各電極からの電場の幾何学的重複を反映する空間チャネル相互作用に応じて、該電極アレイ内の電極と関連付けられた電極刺激信号の振幅を計算するプログラムコードを含み、計算は、少なくとも部分的に、該電極の第１の側の第１の指数関数的減衰定数αおよび該電極の第２の側の第２の指数関数的減衰定数βによって特徴付けられる場所非依存性インパルス応答に基づき、それにより、該第１の指数関数的減衰定数αは、該アレイ内の各電極に相当し、該第２の指数関数的減衰定数βは、該アレイ内の各電極に相当し、ならびに、計算は、場所依存性インパルス応答を考慮するために、場所依存性荷重係数を適用することをさらに含む、コンピュータプログラム製品。
（項目１６）
計算のための上記プログラムコードは、三重対角行列の特性を使用するプログラムコードを含む、項目１５に記載のコンピュータプログラム製品。
（項目１７）
上記第１の指数関数的減衰定数αは、上記第２の指数関数的減衰定数βと等しくない、項目１５に記載のコンピュータプログラム製品。
（項目１８）
計算のための上記プログラムコードは、
上記電極アレイと相対的な所与の位置の所望の電位を決定するプログラムコードであって、該所望の電位は、少なくとも部分的に、連続的交互サンプリング法に基づいて決定される、プログラムコードと、
該所与の位置における符号相関パルスの各々から得られる電位を付加することによって、上記マルチチャネルアレイのうちの少なくとも２つの電極と関連付けられた同時符号相関パルスの振幅を決定するプログラムコードであって、それにより、該所望の電位と実質的に等しい該所与の位置における総電位を提供する、プログラムコードと
を含む、項目１５に記載のコンピュータプログラム製品。
（項目１９）
符号相関パルスを使用して、上記少なくとも２つの電極を同時に刺激するプログラムコードをさらに備える、項目１５に記載のコンピュータプログラム製品。
（項目２０）
上記マルチチャネル電極アレイは、該アレイの起点の第１の電極と、該アレイの終点の第２の電極とを含み、計算のための上記プログラムコードは、該第１の電極および該第２の電極のうちの少なくとも１つに隣接する仮想電極を導入するプログラムコードを含む、項目１５に記載のコンピュータプログラム製品。